(57)【要約】【課題】開口作業が容易で周囲にひびや欠けが発生し難いノックアウト構造を有する住宅用分電盤ケースを提供する。【解決手段】ノックアウト部６を形成した部位のケース本体１の底板２にスリット状の開口孔９を設けてノックアウト部６をケース本体１背部から操作可能とした。ノックアウト部６は厚肉のノックアウト壁面１４と、その左右端部に形成した薄肉の分離部１５とを有し、分離部１５を介して隣接する下側板３ｂに連結され、ノックアウト壁面１４の中央にはケース本体１の前後方向に向けてケース外側に突起した帯状の溝１６を設け、溝１６はペンチで挟持可能な幅を有する断面コ字状に形成した。【選択図】　図２
2004007862.tif 000002
【特許請求の範囲】
【請求項１】
底板の周囲に側板を設けて内部に機器収容空間を形成し、前記側板の少なくとも１ヶ所に開口可能なノックアウト部を設けた住宅用分電盤ケースであって、
前記底板の前記ノックアウト部形成部位にスリット状の開口孔を設けてノックアウト部をケース背部から操作可能とし、ノックアウト部中央の少なくとも底部に前記開口孔を拡幅する曲げ部を設け、ケース後方から前記曲げ部をペンチで挟持可能としたことを特徴とする住宅用分電盤ケース。
【請求項２】
ノックアウト部は、厚肉のノックアウト壁面と該ノックアウト壁面の左右端部に形成した薄肉の分離部を有し、該分離部を介して隣接する側板に連結されて成る請求項１記載の住宅用分電盤ケース。
【請求項３】
ノックアウト部が連結される左右側板の連結部位には、ケースを補強するための補強リブを設けた請求項１又は２記載の住宅用分電盤ケース。
【発明の詳細な説明】
【０００１】
【発明の属する技術分野】
本発明は、住宅用分電盤ケースに関し、特に分電盤ケースに配線用開口部を形成する技術に関する。
【０００２】
【従来の技術】
住宅用分電盤ケースは、背部が設置対象の壁面に埋め込まれて設置される形態のものが普及している。このような住宅用分電盤ケースは配線用開口部が背面に設けられているが、分電盤ケースの埋設される側面からも配線を挿通可能であるため、配線の挿通に利用される場合がある。その場合、予め側面に挿通孔が設けられている場合は、容易に配線を挿通できるが、現場において必要に応じて挿通孔を形成する形態のものは、開口部を形成可能な部位を開口して挿通孔を形成することになる。
【０００３】
図７，図８はそのような分電盤ケースの要部斜視図を示すと共に、図６は住宅用分電盤ケースとしてのケース本体の正面図の一例を示し、図７，図８は開口可能な或いは開口された挿通孔形成部位を示し、図６の例えばＢ部に設けられている。図において、３１はケース本体、３２はケース本体の側面を形成する側板、３３は段部、３４は補強リブであり、側板３２はケース本体の開口部を形成する上側板３２ａと段部３３により１段内側に形成されて壁面内に埋設される下側板３２ｂとから構成されている。
【０００４】
図７は、下側板３２ｂが開口可能な側板、所謂ノックアウト壁面３８として形成され、ケース本体３１の背部から例えばペンチで操作可能なようにノックアウト壁面３８形成部のケース本体３１の底板はスリット状の開口孔４０が形成されている。そして、ノックアウト壁面３８の左右には薄肉状の分離部３９が形成され、その分離部３９を介して隣接する下側板３２ｂと連結され、ケース内側から押圧して、或いケース本体の背部方向からペンチ等でノックアウト壁面３８を挟持して折曲げて、分離部３９を破断させてノックアウト壁面３８を取り除き開口部を形成可能となっている。
また、図８では、隣接する補強リブ３４，３４間の側板が予め開口されて閉塞板３７で閉塞する構成となっている。この場合、開口部３６を使用する際には閉塞板３７を取り外せば良い。
【０００５】
【発明が解決しようとする課題】
しかし、上記ノックアウト構造の場合、ノックアウト壁面３８を除去するノックアウト作業で、誤ってノックアウト部分以外の部位まで破断させ欠けが発生してしまったり、周囲の補強リブ３４にひびが入って破壊してしまうことがあり、ケース本体３１の強度が劣化する問題があった。また、開口部が予め設けられているものは、閉塞板３７を取り外すだけで簡単に配線を挿通できるが、ノックアウト構造に比べてコスト高であった。
そこで、本発明は上記問題点に鑑み、開口作業が容易で周囲にひびや欠けが発生し難いノックアウト構造を有する住宅用分電盤ケースを提供することを目的とする。
【０００６】
【課題を解決するための手段】
上記課題を解決するため、請求項１の発明は、底板の周囲に側板を設けて内部に機器収容空間を形成し、前記側板の少なくとも１ヶ所に開口可能なノックアウト部を設けた住宅用分電盤ケースであって、前記底板の前記ノックアウト部形成部位にスリット状の開口孔を設けてノックアウト部をケース背部から操作可能とし、ノックアウト部中央の少なくとも底部に前記開口孔を拡幅する曲げ部を設け、ケース後方から前記曲げ部をペンチで挟持可能としたことを特徴とする。
【０００７】
請求項２の発明は、請求項１の発明において、ノックアウト部は、厚肉のノックアウト壁面と該ノックアウト壁面の左右端部に形成した薄肉の分離部を有し、該分離部を介して隣接する側板に連結されて成ることを特徴とする。
【０００８】
請求項３の発明は、請求項１又は２の発明において、ノックアウト部が連結される左右側板の連結部位には、ケースを補強するための補強リブを設けたことを特徴とする。
【０００９】
【発明の実施の形態】
以下、本発明を具体化した実施の形態を、図面に基づいて詳細に説明する。図１，図２は本発明に係る住宅用分電盤ケースの一例を示し、図１（ａ）は住宅用分電盤ケースとしてのケース本体の正面図を示し、図１（ｂ）はＡ部の拡大図、図２はＡ部の概略斜視図を示している。
【００１０】
ケース本体１は、機器を組付ける底板２と底板２の周囲に設けられた側板３から構成され、内部に機器収容空間を形成している。側板３は途中に埋込み代としての段部４が形成されて２段に形成され、上側板３ａに比べて下側板３ｂは一回り小さく形成されている。また、下側板３ｂはケース本体１を壁面に装着した際に壁面内に埋設される部位であり、ケース本体１を壁面に取付けた際に段部は壁面に密着される。
そして、図１（ａ）のＡ部はノックアウト部を示し、側板３の適宜位置に図２のＡ部拡大図に示すような開口可能なノックアウト壁面を備えたノックアウト部６が形成されている。
尚、ケース本体１の前面開口部は図示しない蓋体により閉塞される。また、１０は主幹ブレーカ、１１は分岐ブレーカ、１２はケース本体底部に形成された配線挿通用の開口部であり、機器を組付けた状態を示している。
【００１１】
次にＡ部のノックアウト部６を図２を基に説明する。図２は図示上部がケース本体１の前面開口部、下部が底部であり、８は補強リブ、９はケース本体の底面に形成した開口孔である。ノックアウト部６は、比較的厚肉のノックアウト壁面１４とその左右端部に形成された薄肉の分離部１５から成り、ケース本体１内の側板３から底板２にかけて適宜間隔で設けられている補強リブ８の間に形成されている。そして、分離部１５は補強リブ８の基部に形成され、開口操作即ちノックアウト操作により、隣接する補強リブ８の間が一気に取り除かれるように形成されている。
また、開口孔９はノックアウト部６の下辺全体をケース本体１の背部から操作可能となるようにスリット状に形成され、ノックアウト壁面１４の中央には、ケース本体１の前面から背部に向けて帯状に一様な曲げ部としての溝１６が形成されている。この溝１６は本体ケース１背部からペンチで挟持可能な例えば１３ｍｍ幅の平坦部を有し、断面コ字状に形成されている。
【００１２】
次に上記ノックアウト壁面１４の削除手順を図３を基に説明する。図３は図２の縦断面説明図であり、１８はペンチを示している。図３に示すように、先ずペンチ１８によりケース本体１後方から開口孔９を利用して挿入操作し、ノックアウト壁面１４の溝１６を挟持する。そして、ノックアウト壁面１４を矢印に示すケース本体外方へ折曲げるよう操作する。この操作で、ノックアウト壁面１４は左右端部の分離部１５が破断してノックアウト壁面１４が分離される。そして、後更に折曲げることでノックアウト壁面の上部も段部４との連結部が破断してノックアウト壁面１４は完全にケース本体１から分離される。
図４は、この操作でノックアウト壁面１４を取り除いて開口した状態を示し、左右の補強リブ８，８間が完全に開口される。
【００１３】
このように、曲げ部としての溝をペンチで挟持すればノックアウト壁面の中央を挟持できるので、ペンチの応力をノックアウト壁面周囲に一様に加えることができ、周囲の分離部以外の部位にひびや欠けが発生し難く良好に開口操作できる。また、連結される側板との境界部で確実にノックアウト壁面を分離でき、開口操作が容易である。
また、ノックアウト壁面の左右は補強リブで補強されているので、開口操作の際に隣接する壁部の破断を確実に防止できるし、開口後は補強リブの側面を利用することで別途設けた所定形状の閉塞部材により閉塞することも容易で、間違ったノックアウト壁面を開口しても容易に閉塞でき、ケース本体を交換する必要がない。
【００１４】
図５は、ノックアウト部６の他の形状を示している。図５ではノックアウト壁面１４の左右端部に薄肉の分離部１５を設けると共に上部にも薄肉の第２分離部２０を設けている。そして、ノックアウト壁面１４の中央に設けた溝２１はノックアウト壁面１４の中央の底部近傍のみに形成されている。
このように溝をノックアウト壁面の底部近傍のみに形成しても上記実施形態と同様にペンチで挟持して分離操作できるし、３辺に分離部を設けることで分離操作が更に容易に実施できる。
【００１５】
尚、上記実施の形態は、曲げ部としての溝を断面コ字状に形成してペンチ等で挟持し易いようにしてるが、開口孔自体がペンチを挿入する十分な隙間を有して形成されていれば、曲げ部を単にノックアウト壁面の中央を表示する溝として形成しても良く、中央がわかるので容易にノックアウト壁面の中央を挟んで開口操作でき、ノックアウト部以外の部位まで破断するのを防ぐことができる。
【発明の効果】
以上詳述したように、請求項１の発明によれば、曲げ部をペンチで挟持すればノックアウト壁面の中央を挟持できるので、ペンチの応力をノックアウト壁面周囲に一様に加えることができ、周囲にひびや欠けが発生し難く良好に開口操作できる。
【００１６】
請求項２の発明によれば、請求項１の効果に加えて連結される側板との境界部で確実にノックアウト壁面を分離でき、開口操作が容易である。
また、請求項３の発明によれば、請求項１又は２の効果に加えて、ノックアウト壁面の左右は補強リブで補強されているので、開口操作の際に隣接する壁部の破断を確実に防止できる。また、補強リブの側面を利用することで別途設けた所定形状の閉塞部材により閉塞することも容易である。
【図面の簡単な説明】
【図１】本発明に係る住宅用分電盤ケースの一例を示し、（ａ）はケース本体の正面図、（ｂ）はＡ部拡大図である。
【図２】図１Ａ部のノックアウト部の斜視説明図である。
【図３】図２の縦断面図であり、配線用開口部を形成する様子を示している。
【図４】図２の開口後の斜視図である。
【図５】ノックアウト部の他の形状を示す斜視説明図である。
【図６】従来の住宅用分電盤ケースのケース本体正面図である。
【図７】図６のＢ部のノックアウト部の斜視説明図である。
【図８】従来のノックアウト部の他の例を示す斜視説明図である。
【符号の説明】
１・・住宅用分電盤ケースとしてのケース本体、２・・底板、３・・側板、３ａ・・上側板、３ｂ・・下側板、４・・埋込み代としての段部、６・・ノックアウト部、８・・補強リブ、９・・開口孔、１４・・ノックアウト壁部、１５・・分離部、１６・・曲げ部としての溝、１８・・ペンチ、２１・・溝。
【図１】
2004007862.tif 000003
【図２】
2004007862.tif 000004
【図３】
2004007862.tif 000005
【図４】
2004007862.tif 000006
【図５】
2004007862.tif 000007
【図６】
2004007862.tif 000008
【図７】
2004007862.tif 000009
【図８】
2004007862.tif 000010